(57)【要約】【課題】  針体をスムーズに挿入でき、かつ確実に穿孔できる閉鎖膜付チューブ容器と針体付キャップ。【解決手段】   キャップの天面に形成される針体で、チューブ容器の閉鎖膜が穿孔され開封される閉鎖膜付チューブ容器において、該閉鎖膜付チューブ容器の口部天面に形成される突部の針体挿入孔を、漏斗形状に形成したことを特徴とする閉鎖膜付チューブ容器と針体付キャップ。【選択図】図１
2011001114.tif 000002
【特許請求の範囲】
【請求項１】
キャップの天面に形成される針体で、チューブ容器の閉鎖膜が穿孔され開封される閉鎖膜付チューブ容器において、該閉鎖膜付チューブ容器の口部天面に形成される突部の針体挿入孔を、漏斗形状に形成したことを特徴とする閉鎖膜付チューブ容器と針体付キャップ。
【請求項２】
針体の外径ａと漏斗形状の針体挿入孔の開口径ｂとの間に２５％≦ａ／ｂ×１００≦６７％、かつキャップの開口部の開口径ｄと、口部天面の突部の外径ｃとの間に、３２％≦ｃ／ｄ×１００≦５５％が成立することを特徴とする閉鎖膜付チューブ容器と針体付キャップ。
【発明の詳細な説明】
【技術分野】
【０００１】
本発明は、閉鎖膜付チューブ容器と針体付キャップに関し、さらに詳しくは、閉鎖膜付チューブ容器を穿孔する場合、針体付キャップの針体をスムーズに挿入でき、かつ確実に穿孔できる閉鎖膜付チューブ容器と針体付キャップに関する。
【背景技術】
【０００２】
従来、 クリーム、軟膏等の薬剤を充填する一般的なチューブ容器とキャップとしては、図４に示すようなチューブ容器とキャップがある。従来のチューブ容器は、通常使用時まで内容物を保護するため、その口部が閉鎖膜で閉鎖される閉鎖膜付チューブ容器５０が使用されている。キャップ５１は、筒状の外筒５２と、この外筒５２の内側に形成される内筒５３とから形成され、内筒５３から水平に形成される天壁５４の中央部上方には、針体５５が形成されると共に、この天壁５４の下方の内筒５３内周面には、雌ねじ５３ａが形成されている。内容物を抽出する場合は、図５に示すように、キャップ５１の雌ねじ５３ａの反対側に形成される針体５５を、閉鎖膜付チューブ容器５０の閉鎖膜５６に押付けて、閉鎖膜５６を穿孔するものである。そして、従来の突部５７の針体挿入孔５８の形状は、単に円筒形状であり、又針体付キャップ５１と閉鎖膜付チューブ容器５０は、図６に示すように、針体５５の外径Ｘと、この針体５５が挿入される突部５７の針体挿入孔５８の開口径Ｙについては、例えば２７φ、３３φの外径の閉鎖膜付チューブ容器の場合、Ｘ＝１．５ｍｍ、Ｙ＝２．１ｍｍ、Ｚ＝３．８ｍｍ、Ｗ＝１３．４ｍｍであり、Ｘ／Ｙ×１００ ＝７１％であり、かつキャップ５１の開口部６０の内径Ｗと、突部５７の外径Ｚは、Ｚ／Ｗ×１００＝２８％であった。
【先行技術文献】
【特許文献】
【０００３】
【特許文献１】実願昭６１−１１９２０８号
【特許文献２】実願昭６１−１１４９４２号
【発明の概要】
【発明が解決しようとする課題】
【０００４】
しかし、従来は針体挿入孔５８の形状が円筒状であると共に、針体５５の外径Ｘに対して、突部５７の針体挿入孔５８の開口径Ｙは狭く、かつキャップ５１の開口部６０の内径Ｗに対して、閉鎖膜付チューブ容器５０の突部５７の外径Ｚは小さいという欠点があった。そして、針体５５で穿孔する場合、針体５５の先端が、容易に突部５７に接触しない場合があり、針体５５を突部５７の針体挿入部５８に挿入し難いという問題があった。特に老人等が使用する場合に、穿孔作業が容易でなく挿入し難いという問題があった。
この発明は、このような課題に着目してなされたものであり、閉鎖膜付チューブ容器を穿孔する場合、針体付キャップの針体がスムーズに挿入でき、かつ確実に穿孔できる閉鎖膜付チューブ容器と針体付キャップを提供することを目的とする。
【課題を解決するための手段】
【０００５】
この課題を解決するため、請求項１記載の発明の解決手段は、キャップの天面に形成される針体で、チューブ容器の閉鎖膜が穿孔され開封される閉鎖膜付チューブ容器において、該閉鎖膜付チューブ容器の口部天面に形成される突部の針体挿入孔を、漏斗形状に形成したことを特徴とする閉鎖膜付チューブ容器と針体付キャップである。
【０００６】
請求項２記載の発明の解決手段は、針体の外径ａと漏斗形状の針体挿入孔の開口径ｂとの間に２５％≦ａ／ｂ×１００≦６７％、かつキャップの開口部の開口径ｄと、口部天面の突部の外径ｃとの間に、３２％≦ｃ／ｄ×１００≦５５％が成立することを特徴とする閉鎖膜付チューブ容器と針体付キャップである。
【発明の効果】
【０００７】
本発明に係る閉鎖膜付チューブ容器及び針体付キャップにおいて、閉鎖膜付チューブ容器を穿孔する場合、針体付キャップの針体がスムーズに挿入でき、かつ確実に穿孔できる効果を奏する。
【図面の簡単な説明】
【０００８】
【図１】本発明に係る閉鎖膜付チューブ容器と針体付キャップの実施例１を示す正面断面図。
【図２】閉鎖膜付チューブ容器を、針体付キャップで穿孔しようとしている状態を示す、本発明に係る実施例１を示す正面断面図。
【図３】閉鎖膜付チューブ容器を、針体付キャップで穿孔するまでの過程を示す、本発明に係る実施例１を示す正面断面図（ａ）（ｂ）（ｃ）。
【図４】従来の閉鎖膜付チューブ容器と針体付キャップを示す正面断面図。
【図５】閉鎖膜付チューブ容器を、針体付キャップで穿孔している状態を示す、従来の閉鎖膜付チューブ容器と針体付キャップを示す正面断面図。
【図６】閉鎖膜付チューブ容器を、針体付キャップで穿孔しようとしている状態を示す、従来の閉鎖膜付チューブ容器と針体付キャップを示す正面断面図。
【図７】閉鎖膜付チューブ容器を、針体付キャップで穿孔できない状態を示す、従来の閉鎖膜付チューブ容器と針体付キャップを示す正面断面図。
【発明を実施するための形態】
【０００９】
以下、本発明の実施例の一例を図面に基づいて説明する。
【実施例１】
【００１０】
図１〜図３は、この発明に係る実施例１を示す図面である。１は閉鎖膜付チューブ容器であり、この閉鎖膜付チューブ容器１は、外周に雄ねじ２ａを有する口部２を有し、この口部２の天面には、上方に向かって突出する突部３が形成されている。そして、口部２には、内容物を開封まで保存するために、突部３の下部を横断し、口部２及び肩部４を覆うように閉鎖膜５が形成されている。この閉鎖膜５は、アルミニウム箔又はガスバリア性の樹脂等で構成されている。突部３と閉鎖膜５で囲まれる部位には、針体挿入孔６が形成され、閉鎖膜５の下方には、円錐台状のショルダー部７、８が形成され、このショルダー部７、８の下端から円筒状の胴部９が延びている。胴部９を構成する原反は、内部にアルミニウム箔からなる中間層（ガスバリア層）を有し、両面を低密度ポリエチレン等の合成樹脂層で挟着して構成されるラミネートの原反で構成されるか、又はポリエチレンテレフタレート樹脂、エチレンビニルアルコール共重合体樹脂、ポリ塩化ビニリデン樹脂等を中間層（ガスバリア層）とする多層樹脂層で構成されてもよい。
【００１１】
一方キャップ１０は、筒状の外筒１１とこの外筒１１の内側に形成される内筒１２とから構成され、この内筒１２から水平に形成される天壁１３から上方に向かって、針体１４が延びて形成されると共に、この天壁１３の下方で、内筒１２内周面には雌ねじ１２ａが形成されている。この閉鎖膜チューブ１内には、例えば薬剤、食品、接着剤等が収納される。
【００１２】
本発明の特徴は、針体１４の外径ａと漏斗形状の針体挿入孔６の開口径ｂとの間に２５％≦ａ／ｂ×１００≦６７％、かつキャップ１０の開口部１５の開口径ｄと、口部２天面の突部３の外径ｃとの間に、３２％≦ｃ／ｄ×１００≦５５％が成立する構成となっている。そして、具体的に例えば、外径が２７％、３３φの閉鎖膜チューブ容器１の場合、ａは１．５ｍｍ、ｂは５．５ｍｍ、ｃは７．０ｍｍ、ｄは１３．４ｍｍに構成され、ａ／ｂ×１００＝２７％、ｃ／ｄ×１００＝５２％であり、針体１１で閉鎖膜５を穿孔する場合において、キャップ７の針体１１を口部２の突部３に接近させて穿孔する場合、キャップ１０の針体１４の先端が、突部３に接触する確率が高くなるように構成されている。本発明は、図３（ａ）に示すように、キャップ１０の針体１４は、針体挿入部６の漏斗部６ａに接触後、漏斗部６ａに沿って下方向に斜面を滑るように誘導され、漏斗部６ａの傾斜面から針体挿入部６内に誘導される。そして、さらにキャップ１０を下降させると、針体１４で閉鎖膜５を確実に穿孔する（図３（ｂ）、図３（ｃ））。
【産業上の利用可能性】
【００１３】
本発明に係る閉鎖膜付チューブ容器及び針体付キャップは、閉鎖膜付チューブ容器を穿孔する場合、針体付キャップの針体が、針体挿入部にスムーズに挿入でき、かつ確実に穿孔できるるので、特に老人、子供等が使い易く、内容物として薬品、接着剤、食料品等を充填するチューブ容器として広く用いることができる。
【符号の説明】
【００１４】
１  閉鎖膜チューブ容器
２  口部
３  突部
５  閉鎖膜
６  針体挿入孔
１１キャップ
１４  針体
１５  開口部
針体の外径ａ
針体挿入孔の開口径ｂ
突部の外径ｃ
開口部の開口径ｄ
【図１】
2011001114.tif 000003
【図２】
2011001114.tif 000004
【図３】
2011001114.tif 000005
【図４】
2011001114.tif 000006
【図５】
2011001114.tif 000007
【図６】
2011001114.tif 000008
【図７】
2011001114.tif 000009